(57)【要約】      （修正有）【課題】画像表示装置と画像出力装置とを低消費電力化する画像表示システムを提供する。【解決手段】画像出力装置は、デジタル放送を受信する受信手段、前記受信手段により受信したデジタル放送を処理して映像音声信号にする信号処理手段、前記画像表示装置に前記映像音声信号を送信し、制御信号を送受信する第１の通信手段、及び、第１の通信手段よりも低消費電力であり、前記画像表示装置と制御信号を送受信する第２の通信手段を備え、前記画像表示装置は、画像を表示する表示手段、前記画像出力装置から映像音声信号を受信し、制御信号を送受信する第１の通信手段、及び、第１の通信手段よりも低消費電力であり、前記画像出力装置と制御信号を送受信する第２の通信手段を備え、前記画像表示システムは、前記表示手段に画像を表示しない場合に、前記第２の通信手段による制御信号の通信が可能であるときは、前記第１の通信手段による通信を停止する。【選択図】図２
2014072622.tif 000002
【特許請求の範囲】
【請求項１】
画像出力装置と及び画像表示装置を有し、映像音声信号を無線通信する画像表示システムであって、
前記画像出力装置は、
デジタル放送を受信する受信手段、
前記受信手段により受信したデジタル放送を処理して映像音声信号にする信号処理手段、
前記画像表示装置に前記映像音声信号を送信し、制御信号を送受信する第１の通信手段、及び、
第１の通信手段よりも低消費電力であり、前記画像表示装置と制御信号を送受信する第２の通信手段を備え、
前記画像表示装置は、
画像を表示する表示手段、
前記画像出力装置から映像音声信号を受信し、制御信号を送受信する第１の通信手段、及び、
第１の通信手段よりも低消費電力であり、前記画像出力装置と制御信号を送受信する第２の通信手段を備え、
前記画像表示システムは、前記表示手段に画像を表示しない場合に、
前記第２の通信手段による制御信号の通信が可能である時ときは、前記第１の通信手段による通信を停止することを特徴とする画像表示システム。
【請求項２】
前記第１の通信手段は、ＩＥＥＥ８０２．１１規格の無線ＬＡＮもしくはＷｉ‐Ｆｉによる通信手段であり、前記第２の通信手段は、Ｂｌｕｅｔｏｏｔｈ規格の通信手段であることを特徴とする請求項１記載の画像表示システム。
【請求項３】
画像出力装置と通信し画像を表示する画像表示装置であって、
前記画像表示装置は、
画像を表示する表示手段、
前記画像出力装置から映像音声信号を受信し、制御信号を送受信する第１の通信手段、及び、
第１の通信手段よりも低消費電力であり、前記画像出力装置と制御信号を送受信する第２の通信手段を備え、
前記画像表示装置は、前記表示手段に画像を表示しない場合に、前記第２の通信手段による制御信号の通信が可能であるときは、前記第１の通信手段による通信を停止することを特徴とする画像表示装置。
【請求項４】
画像表示装置と通信する画像出力装置であって、
前記画像出力装置は、
デジタル放送を受信する受信手段、
前記受信手段により受信したデジタル放送を処理して映像音声信号にする信号処理手段、
前記画像表示装置に前記映像音声信号を送信し、制御信号を送受信する第１の通信手段、及び、
第１の通信手段よりも低消費電力であり、前記画像表示装置と制御信号を送受信する第２の通信手段を備え、
前記画像出力装置は、デジタル放送を受信しない場合に、前記第２の通信手段による制御信号の通信が可能であるときは、前記第１の通信手段による通信を停止することを特徴とする画像出力装置。
【請求項５】
画像表示システムを構成する画像表示装置と画像出力装置が画像データを通信可能な第１の通信を確立するステップ、
前記画像表示装置が、第１の通信手段よりも低消費電力な第２の通信手段を起動するステップ、
前記画像表示装置から前記画像出力装置へ前記第１の通信によって前記第２の通信手段を起動する指示を送信するステップ、
前記画像出力装置が前記第２の通信手段を起動するステップ、
前記画像表示装置と前記画像出力装置とが前記第２の通信手段による通信が可能であるか確認するステップ、及び、
前記第２の通信手段による通信が可能であるか確認するステップからなり、
第２の通信手段による通信が可能である場合、画像表示装置から画像出力装置への起動コマンドの送信を設定し、前記第１の通信手段による通信を停止することを特徴とする画像表示システムの通信制御方法。
【発明の詳細な説明】
【技術分野】
【０００１】
本発明は、画像表示装置と画像出力装置が無線で通信する画像表示システムに関する。
【背景技術】
【０００２】
従来、表示装置(ディスプレイ部)と放送受信装置(チューナ部)とを分離したテレビが提供されている。表示装置と放送受信装置を分離することにより、それぞれの装置が軽くなり手軽に持ち運びできるため、例えば大勢の友人を招いた場合などには、放送受信装置を家の隅に置き、表示装置をリビングに置いてテレビ番組を視聴し、就寝時に個人で視聴する場合は寝室へ持ち運んで視聴するなど、所望の場所で比較的容易にテレビ番組の視聴を行うことができ、視聴の仕方が広がっている。
【０００３】
このようなテレビにおいては、表示装置と放送受信装置とは無線通信を行う。放送受信装置は、受信した放送波を処理して取り出した映像データや音声データを表示装置に送信し、表示装置は、放送受信装置から受信した映像データや音声データを表示装置やスピーカに出力する。また、使用者がリモコンを操作して使用者の視聴チャンネルの変更や番組表の表示などのコマンドが、表示装置から放送受信装置へ送信される。
【０００４】
しかしながら、使用者がリモコンなどを操作して表示装置の電源をオフにした時に、放送受信装置の電源までオフにしてしまうと、使用者が再びリモコンを操作して表示装置側から起動しようとしても、電源をオフにされた放送受信装置は信号を受信できないので起動することが不可能である。このため、表示装置と放送受信装置を分離したテレビにおいては、使用者がリモコン等を用いて電源をオフにする操作をしても、表示装置も放送受信装置も電源を完全にはオフにせず、待機状態にしている。そして待機状態にある表示装置を起動すると、表示装置は放送受信装置へ起動コマンドを送信し、放送受信装置を起動して放送波の受信や映像の表示など、テレビとしての動作を開始する。
【０００５】
表示装置と放送受信装置との通信には現在、Ｗｉｒｅｌｅｓｓ Ｆｉｄｅｌｉｔｙが使用されている。Ｗｉｒｅｌｅｓｓ Ｆｉｄｅｌｉｔｙは大容量データを通信できるので、地上波デジタル放送のような大容量の映像データの送受信に適するからである。一方、Ｗｉｒｅｌｅｓｓ Ｆｉｄｅｌｉｔｙは消費電力が大きいため、Ｂｌｕｅｔｏｏｔｈ(登録商標)などを使用して無線通信を低消費電力化したい要求があった。
【０００６】
特許文献１には、Ｂｌｕｅｔｏｏｔｈと無線ＬＡＮとの両方のインターフェイスを備えた情報機器間で、Ｂｌｕｅｔｏｏｔｈ固有の機能を活かして、省電力でしかも、容易に無線ＬＡＮを構築する情報通信装置が開示されている。図１８は、特許文献１記載の無線通信システムの構成を示す図であり、Ｂｌｕｅｔｏｏｔｈ規格の無線通信インターフェイスと、ＩＥＥＥ８０２．１１規格の無線ＬＡＮインターフェイスと、の両方を備えたデュアル無線情報機器１０１−１、１０１−２と、Ｂｌｕｅｔｏｏｔｈインターフェイスを備えた情報機器であるＢｌｕｅｔｏｏｔｈ情報機器１０２と、無線ＬＡＮインターフェイスのみを備えた情報機器１０３と、Ｂｌｕｅｔｏｏｔｈインターフェイスを備えた携帯電話であるＢｌｕｅｔｏｏｔｈ携帯電話１０４と、を有する通信システムにおいて、デュアル無線情報機器１０１−１、１０１−２同士は、Ｂｌｕｅｔｏｏｔｈと無線ＬＡＮとのインターフェイスをそれぞれ用途に応じて、使い分け、無線ＬＡＮインターフェイスの無駄な電力消費を抑えると共に、必要に応じて無線ＬＡＮを使用し、通信速度を確保して通信を行える。
【先行技術文献】
【特許文献】
【０００７】
【特許文献１】特開２００４−１１２２２５号公報
【発明の概要】
【発明が解決しようとする課題】
【０００８】
しかしながら特許文献１記載の情報通信装置は、Ｂｌｕｅｔｏｏｔｈと無線ＬＡＮとのインターフェイスをそれぞれ用途に応じて使い分けるものであることから、Ｂｌｕｅｔｏｏｔｈを用いた通信を行って、相手の機器が無線ＬＡＮインターフェイスを有しているか検出し、無線ＬＡＮの設定情報を入手するなどして、Ｂｌｕｅｔｏｏｔｈによるネットワークと無線ＬＡＮによるネットワークを構築するものであって、Ｂｌｕｅｔｏｏｔｈと無線ＬＡＮとを使い分けることによって電力消費を抑えることはできるものの、情報通信装置の待機状態における消費電力を抑えることはできないという課題があった。
【０００９】
本発明は、上記課題を鑑み、画像出力装置と画像表示装置とを有する画像表示システムにおいて、画像出力装置と画像表示装置は、画像データを通信可能な第１の通信手段と、第１の通信手段よりも低消費電力な第２の通信手段を有し、画像出力装置と画像表示装置が第２の通信手段による通信が可能である場合、第１の通信手段による通信を停止することによって、消費電力を抑えることを実現する画像表示システムを提供するものである。
【課題を解決するための手段】
【００１０】
本発明の画像表示システムは、画像出力装置と及び画像表示装置を有し、映像音声信号を無線通信する画像表示システムであって、前記画像出力装置は、デジタル放送を受信する受信手段、前記受信手段により受信したデジタル放送を処理して映像音声信号にする信号処理手段、前記画像表示装置に前記映像音声信号を送信し、制御信号を送受信する第１の通信手段、及び、第１の通信手段よりも低消費電力であり、前記画像表示装置と制御信号を送受信する第２の通信手段を備え、前記画像表示装置は、画像を表示する表示手段、前記画像出力装置から映像音声信号を受信し、制御信号を送受信する第１の通信手段、及び、第１の通信手段よりも低消費電力であり、前記画像出力装置と制御信号を送受信する第２の通信手段を備え、前記画像表示システムは、前記表示手段に画像を表示しない場合に、前記第２の通信手段による制御信号の通信が可能である時ときは、前記第１の通信手段による通信を停止することを特徴とする。
【００１１】
また本発明の画像表示システムの前記第１の通信手段は、ＩＥＥＥ８０２．１１規格の無線ＬＡＮもしくはＷｉ‐Ｆｉによる通信手段であり、前記第２の通信手段は、Ｂｌｕｅｔｏｏｔｈ規格の通信手段であることを特徴とする。
【００１２】
本発明の画像表示装置は画像出力装置と通信し画像を表示する画像表示装置であって、前記画像表示装置は、画像を表示する表示手段、前記画像出力装置から映像音声信号を受信し、制御信号を送受信する第１の通信手段、及び、第１の通信手段よりも低消費電力であり、前記画像出力装置と制御信号を送受信する第２の通信手段を備え、前記画像表示装置は、前記表示手段に画像を表示しない場合に、前記第２の通信手段による制御信号の通信が可能であるときは、前記第１の通信手段による通信を停止することを特徴とする。
【００１３】
本発明の画像出力装置は、画像表示装置と通信する画像出力装置であって、前記画像出力装置は、デジタル放送を受信する受信手段、前記受信手段により受信したデジタル放送を処理して映像音声信号にする信号処理手段、前記画像表示装置に前記映像音声信号を送信し、制御信号を送受信する第１の通信手段、及び、第１の通信手段よりも低消費電力であり、前記画像表示装置と制御信号を送受信する第２の通信手段を備え、前記画像出力装置は、デジタル放送を受信しない場合に、前記第２の通信手段による制御信号の通信が可能であるときは、前記第１の通信手段による通信を停止することを特徴とする。
【００１４】
本発明の画像表示システムの通信制御方法は、画像表示システムを構成する画像表示装置と画像出力装置が画像データを通信可能な第１の通信を確立するステップ、前記画像表示装置が、第１の通信手段よりも低消費電力な第２の通信手段を起動するステップ、前記画像表示装置から前記画像出力装置へ前記第１の通信によって前記第２の通信手段を起動する指示を送信するステップ、前記画像出力装置が前記第２の通信手段を起動するステップ、前記画像表示装置と前記画像出力装置とが前記第２の通信手段による通信が可能であるか確認するステップ、及び、前記第２の通信手段による通信が可能であるか確認するステップからなり、第２の通信手段による通信が可能である場合、画像表示装置から画像出力装置への起動コマンドの送信を設定し、前記第１の通信手段による通信を停止することを特徴とする。
【発明の効果】
【００１５】
本発明によれば、画像出力装置と画像表示装置とを有する画像表示システムの待機状態における消費電力を抑えることが可能になる。
【図面の簡単な説明】
【００１６】
【図１】本発明の実施形態のテレビを説明する概要図である。
【図２】第１の実施形態の画像表示装置の要部構成図である。
【図３】本発明の実施形態の画像出力装置の要部構成図である。
【図４】第１の実施形態のテレビが待機状態へ移行するフロー図である。
【図５】第１の実施形態のテレビがＢｌｕｅｔｏｏｔｈモードの待機状態から起動する処理フロー図である。
【図６】第１の実施形態のテレビがＷｉ‐Ｆｉモードの待機状態から起動する処理フロー図である。
【図７】本発明の第２の実施形態の画像表示装置の要部構成図である。
【図８】第２の実施形態のテレビが待機状態へ移行するフロー図である。
【図９】本発明の第３の実施形態の画像表示装置の要部構成図である。
【図１０】本発明の第３の実施形態のテレビの処理フロー図である。
【図１１】本発明の第４の実施形態の画像表示装置の要部構成図である。
【図１２】本発明の第４の実施形態のテレビの処理フローである。
【図１３】本発明の第５の実施形態のテレビの処理フローである。
【図１４】本発明の第６の実施形態のテレビの処理フローである。
【図１５】本発明の第７の実施形態の画像表示装置の要部構成図である。
【図１６】本発明の第７の実施形態の画像出力装置の要部構成図である。
【図１７】本発明の第７の実施形態のテレビの処理フローである。
【図１８】従来技術の説明図である。
【発明を実施するための形態】
【００１７】
本願は、画像出力装置と画像表示装置を有する画像表示システムに関するものであり、特に画像出力装置と画像表示装置が分離している画像表示システムに関する。画像出力装置は、例えば、パソコンにおいてはＣＰＵやメインメモリを有するメインボードを少なくとも含むパソコンの主要装置に該当し、またテレビにおいては放送波を受信するチューナや放送波の復調や誤り訂正などを含めた信号処理を行う信号処理回路を少なくとも含む放送信号処理装置に該当する。画像表示装置は、パソコンにおいては外付けのモニターに該当し、テレビにおいてはテレビ放送を表示するディスプレイに該当する。
【００１８】
本願における画像表示システムは、上述した画像出力装置と画像表示装置とが無線通信することによって、画像出力装置で生成された画像や音声が画像表示装置に出力され、画像表示装置の表示部に表示される。
【００１９】
本願における画像表示システムは、画像出力装置と画像表示装置とが無線通信する手段として、第１の通信手段と第２の通信手段を有している。第１の通信手段は、大容量データないしは画像データを通信可能である通信手段であり、第２の通信手段は、低消費電力で小容量なデータを通信可能である通信手段である。
【００２０】
以下に示す実施形態では、画像表示システムとしてテレビを例に説明する。また、例として第１の通信手段をＷｉｒｅｌｅｓｓ Ｆｉｄｅｌｉｔｙ(以下、Ｗｉ‐Ｆｉと称する。)とし、第２の通信手段をＢｌｕｅｔｏｏｔｈ(登録商標)として説明する。なおＷｉ‐Ｆｉは、１００メートル程度の距離の通信が可能であり、放送波に含まれる画像データなどの大容量データを通信可能な特徴がある。またＢｌｕｅｔｏｏｔｈは、１０メートル程度の近距離通信が可能であり、放送波に含まれる画像データのような大容量データは通信できないが、消費電力が低い特徴がある。以下に本発明の実施形態のテレビの詳細を説明する。
【００２１】
［第１の実施形態］
本発明の第１の実施形態のテレビ１を図１から図６を参照して説明する。図１は、本発明の実施形態のテレビ１を説明する概要図であり、放送局からテレビ放送を受信し、番組を再生する例を図示している。テレビ１は、画像表示装置２と画像出力装置３とからなる。画像出力装置３は放送局４から放送波を受信し、画像表示装置２へ映像音声信号を送信する。画像表示装置２は受信した映像音声信号を再生する。５は画像表示装置２と画像出力装置３とがＷｉ‐Ｆｉにより通信可能な領域を示し、６は画像表示装置２と画像出力装置３とがＢｌｕｅｔｏｏｔｈにより通信可能な領域を示している。Ａは、領域６と領域５の一部とが重なった領域上の任意の位置である。Ｂは、領域５の内部であり領域６の外部である領域上の任意の位置である。画像表示装置２がＡの位置にある場合、画像表示装置２と画像出力装置３とはＷｉ‐ＦｉまたはＢｌｕｅｔｏｏｔｈにより通信可能であり、画像表示装置２がＢの位置にある場合、画像表示装置２と画像出力装置３とはＷｉ‐Ｆｉにより通信可能である。
【００２２】
また図１では、放送局からテレビ放送を受信する様子を例として示しているが、本実施形態では、放送衛星(ＢＳ）や通信衛星(ＣＳ)、中継放送局などから電波を受信する場合も含まれる。
【００２３】
図２は、第１の実施形態の画像表示装置２の要部構成図である。図２を参照して、第１の実施形態の画像表示装置２の各部構成を説明する。
【００２４】
ＩＲ受光部９は、リモコンからの制御信号を受信する受光部である。副電源スイッチ１０と主電源スイッチ１１は、画像表示装置２の筺体に備わるスイッチである。副電源スイッチ１０は、主電源スイッチ１１がオンにされた状態で有効になる。主電源スイッチ１１がオンにされた状態で副電源スイッチ１０がオンにされると、画像表示装置２は画像や音声を出力する。主電源スイッチ１１がオンにされた状態で副電源スイッチ１０がオフにされると画像表示装置２は待機状態へ移行し、画像や音声の出力を停止する。待機状態では、使用者はリモコンを操作して、画像表示装置２のＩＲ受光部９へ信号を送信し、画像表示装置２を待機状態から復帰させることが可能である。主電源スイッチ１１がオフにされると、画像表示装置２のシステムがオフにされる。この状態では、ＩＲ受光部９もオフにされているので、使用者がリモコンを操作して画像表示装置２のＩＲ受光部９へ信号を送信しても、画像表示装置２は受信しない。主電源スイッチ１１がオフにされている場合、使用者は、主電源スイッチ１１を押して主電源スイッチ１１をオンにすることによって画像表示装置２に画像や音声を出力できる。
【００２５】
電源制御部１２は、サブプロセッサ１３の指示に従い、画像表示装置２の各部の電源を個別に制御する。例えば、表示部１５とスピーカ１６の電源をオフにし、Ｗｉ‐Ｆｉ通信部１７やＢｌｕｅｔｏｏｔｈ通信部２０の電源はオンにすることが可能である。
【００２６】
なお、電源をオフするとは、対象である回路の電源線に電力を供給しないことを意味する。より具体的には、対象である回路の電源線を接地レベルにする、もしくは対象である回路の電源線が、ＤＣ-ＤＣコンバータや定電圧源やスイッチング電源のような内部で電圧を発生させる回路の出力に接続される場合には、電圧を発生させる回路の出力をハイインピーダンス状態にするなどが上げられる。いずれにせよ、ここで電源をオフにするとは、対象である回路に電力が供給されずスタンバイ電流も流れない状態を示している。また通常、集積回路で構成されるメインプロセッサ１９とサブプロセッサ１３などの内部についても、機能ブロックごとに電源を制御することが可能である
サブプロセッサ１３は、特定の命令を実行するためのプロセッサである。小容量データの処理や小さな回路ブロックのみの制御を行う場合など、メインプロセッサ１９全体を動作させるには効率の悪い処理をサブプロセッサ１３が処理する。このようにすることでメインプロセッサ１９を待機状態としサブプロセッサ１３のみ駆動するようにできるので、無駄な電力消費を抑えることが可能である。また、処理の高速化のために、サブプロセッサ１３を使用することもある。この場合、メインプロセッサ１９と並列して、サブプロセッサ１３が動作する。本実施形態においてはＩＲ受光部９、副電源スイッチ１０、主電源スイッチ１１の状態を検出して、画像表示装置２を待機状態へ移行する際、もしくは待機状態から再起動する際に各部を制御する。詳細は後述する。
【００２７】
メモリ１４は、ＤＲＡＭやＳＲＡＭ、ＦＬＡＳＨメモリなど様々な方式の記憶装置により構成され、メインプロセッサ１９やサブプロセッサ１３の信号処理における中間データを一時的に格納したり、機器のＩＤ情報や機能コマンドなどをＦＬＡＳＨメモリやＲＯＭなどに格納する。
【００２８】
表示部１５は、液晶やプラズマ有機ＥＬなどで構成される画像表示部であり、メインプロセッサ１９から出力された映像データを表示する。スピーカ１６は、音声出力部であり、パワーアンプなども含むものとする。メインプロセッサ１９から出力された音声データを音として出力する。
【００２９】
Ｗｉ‐Ｆｉ通信部１７は、画像出力装置３との通信部である。Ｗｉ‐Ｆｉアンテナ１８を介して画像出力装置３から制御信号や映像音声信号を受信し、メインプロセッサ１９に出力する。またメインプロセッサ１９から、制御信号やデータを受信し、Ｗｉ‐Ｆｉアンテナ１８を介して画像出力装置３に出力する。例えば、視聴者がリモコンを使用して、テレビチャンネルを変更した場合に、チャンネル変更の制御信号と変更するチャネル番号のデータ信号を送信する。
【００３０】
メインプロセッサ１９は、画像出力装置から受信した映像音声信号を処理して、表示部１５やスピーカ１６に出力するなど、画像表示装置２の各部の制御を行う。また本実施形態の主な動作として、画像表示装置２の起動状態に基づいて画像出力装置３との通信をＷｉ‐Ｆｉ通信部１７で行うかＢｌｕｅｔｏｏｔｈ通信部２０で行うかを制御する。
【００３１】
Ｂｌｕｅｔｏｏｔｈ通信部２０は、画像出力装置３との通信部である。アンテナ２１を介して画像出力装置３から制御信号や小容量データを送受信する。Ｂｌｕｅｔｏｏｔｈ通信部２０は、送受信できる容量であれば、Ｗｉ‐Ｆｉ通信部１７と同様のデータを送受信できるものとする。
【００３２】
図３は、本発明の実施形態の画像出力装置３の要部構成図である。図３を参照して、本発明の実施形態の画像出力装置３の各部構成を説明する。
【００３３】
アンテナ２２は、放送波を受信し放送波受信部２３へ出力する。なおアンテナ２２を屋外などに設置し、画像出力装置３とは別の構成としてもよい。放送受信部２３は、アンテナ２２が出力する信号に対して、ダウンコンバートを行い、放送信号処理部３０に出力する。放送信号処理部３０は、放送受信部２３が出力する信号に対して復調処理や誤り訂正処理などを行い、映像音声信号としてメインプロセッサ３３へ出力する。
【００３４】
Ｗｉ‐Ｆｉ通信部２４は、画像表示装置２との通信部である。メインプロセッサ３３から制御信号や映像音声信号を受信し、アンテナ２５を介して画像表示装置２へ送信する。また画像表示装置２から制御信号やデータを、アンテナ２５を介して受信し、メインプロセッサ３３やサブプロセッサ２６へ出力する。
【００３５】
サブプロセッサ２６は、メインプロセッサ３３よりも小規模なデータを処理し、特定の命令を実行するためのプロセッサである。本実施形態においては、画像表示装置２が待機状態になった場合に、画像表示装置２からの制御信号に基づいて、電源制御部３１とメインプロセッサ３３、Ｗｉ‐Ｆｉ通信部１７、Ｂｌｕｅｔｏｏｔｈ通信部２０などを制御する。詳細は後述する。
【００３６】
Ｂｌｕｅｔｏｏｔｈ通信部２７は、画像表示装置２との通信部である。画像表示装置２からアンテナ２８を介して制御信号や小容量データを送受信する。なおＢｌｕｅｔｏｏｔｈ通信部２７は、送受信できる容量であれば、Ｗｉ‐Ｆｉ通信部２４と同様のデータを送受信できるものとする。
【００３７】
電源制御部３１は、サブプロセッサ２６の指示に従い、画像出力装置３の各部の電源を個別に制御する。例えば、待機状態では、画像表示装置２からのシステムの起動命令を受信し実行するために必要なＷｉ‐Ｆｉ通信部２４やＢｌｕｅｔｏｏｔｈ通信部２７を含む一部の回路ブロックのみの電源をオンしておき、それ以外の回路ブロックは電源をオフする。また通常、集積回路で構成されるメインプロセッサ３３とサブプロセッサ２６なども機能ブロックごとに電源を制御することが可能である。
【００３８】
メモリ３２は、メモリ１４と同様であるので説明を省略する。通信ＩＦ(インターフェース)２９は、公衆電話網やインターネットなどの通信ネットワークと通信を接続するインターフェイス部である。画像出力装置３は、通信ネットワークを介して放送局やサーバ、アクセスポイントなどと接続される。
【００３９】
メインプロセッサ３３は、放送信号処理部３０から受信した映像音声信号を、Ｗｉ‐Ｆｉ通信部２４を介して画像表示装置２に送信するなど、画像出力装置３の各部の制御を行う。
【００４０】
図４を参照して第１の実施形態のテレビ１の処理フローを説明する。なお本願のフロー図において、Ｓはステップを意味する。第１の実施形態のテレビ１は、画像出力装置３が放送波を受信し復調処理や誤り訂正処理などを行い、映像音声信号を画像表示装置２に送信し、画像表示装置２は受信した映像音声信号の映像を表示し音声を出力している状態(Ｓ０)で、画像表示装置２側から待機状態にする場合の実施形態である。なお、視聴者が画像出力装置３の電源をオフする場合は、本発明の範囲外である。
【００４１】
画像表示装置２は、視聴者のリモコンの操作もしくは画像表示装置２の筺体に設けられた副電源スイッチ１０の押下による待機状態移行コマンドを受信すると(Ｓ１)、ＩＲ受光部９もしくは副電源スイッチ１０から指示を受けたサブプロセッサ１３が、メモリ１４に格納された待機状態移行処理を起動する(Ｓ２)。メインプロセッサ１９は、Ｂｌｕｅｔｏｏｔｈ通信部２０を起動し(Ｓ３)、待機状態移行指示をＷｉ‐Ｆｉ通信部１７から画像出力装置３へ送信する(Ｓ４)。待機状態移行指示をＷｉ‐Ｆｉ通信部２４で受信した画像出力装置３は、サブプロセッサ２６がメモリ３２に格納された待機状態移行処理を起動する(Ｓ５)。メインプロセッサ３３は、Ｂｌｕｅｔｏｏｔｈ通信部２７を起動し(Ｓ６)、画像表示装置２との通信を試行する(Ｓ７)。Ｓ７では、画像出力装置３は、まずＢｌｕｅｔｏｏｔｈ通信部２７からパイロット信号を出力する。次に、画像出力装置３は、画像表示装置２がパイロット信号を受信したことを示すＡＣＫ信号が送信されてくることを待ち受け、待機する。画像出力装置３は一定時間待ち受け、受信の可否をＷｉ‐Ｆｉ通信部２４から送信する(Ｓ８)。
【００４２】
画像出力装置３は、Ｓ７で画像表示装置２とＢｌｕｅｔｏｏｔｈで通信できた場合、すなわち画像出力装置３のＢｌｕｅｔｏｏｔｈ通信部２７が、画像表示装置２のＢｌｕｅｔｏｏｔｈ通信部２０から送信されたＡＣＫ信号を受信できた場合(Ｓ１０でＹｅｓ)、待機モードをＢｌｕｅｔｏｏｔｈモードに設定し(Ｓ１１)、画像表示装置２からＢｌｕｅｔｏｏｔｈにより起動の指示が送信された場合に、該起動の指示を受信するために必要な回路と、待機状態中に画像表示装置２との通信確認などの間欠動作を行うためにシステムを一時起動するために必要な回路とを動作させ、それ以外のＷｉ‐Ｆｉ通信部２４などの回路については電源制御部３１の制御によって電源をオフにする(Ｓ１２)。なお、電源をオフするとは、対象である回路の電源線に電力を供給しない、対象である回路の電源線を接地レベルにする、もしくは対象である回路の電源線が、ＤＣ-ＤＣコンバータや定電圧源やスイッチング電源のような内部で電圧を発生させる回路の出力に接続される場合には、電圧を発生させる回路の出力をハイインピーダンス状態にするなどが上げられる。いずれにせよ、ここで電源をオフにするとは、対象である回路に電力が供給されずスタンバイ電流も流れない状態を示している。この状態で動作している回路は、例えばＢｌｕｅｔｏｏｔｈ通信部２７と、Ｂｌｕｅｔｏｏｔｈ通信部２７の周辺回路すなわちサブプロセッサ２６の一部の回路ブロックとメインプロセッサ３３の一部の回路ブロックである。なおこのとき、それぞれの回路は機能を実行するために稼働している場合と、待機状態である場合とがある。待機状態である場合とは、例えばデジタル回路では、電力は供給されているが、スイッチング(状態遷移)せず、スタンバイ電流のみが流れている場合である。次に画像出力装置３は、映像音声信号の送信を停止して待機状態に移行する(Ｓ２１)。
【００４３】
画像出力装置３は、Ｓ７で画像表示装置２とＢｌｕｅｔｏｏｔｈで通信できなかった場合、すなわち画像出力装置３のＢｌｕｅｔｏｏｔｈ通信部２７が、画像表示装置２のＢｌｕｅｔｏｏｔｈ通信部２０からＡＣＫ信号を受信できなかった場合(Ｓ１０でＮｏ)、画像出力装置３は、待機モードをＷｉ‐Ｆｉモードに設定し(Ｓ１３)、Ｂｌｕｅｔｏｏｔｈ通信部２７の機能を停止し(Ｓ１４)、映像音声信号の送信を停止して待機状態に移行する(Ｓ２１)。このＷｉ‐Ｆｉモードでの待機とは、画像表示装置２からＷｉ‐Ｆｉにより指示が送信された場合に、指示を受信するために必要な回路と、待機状態中に画像表示装置２との通信確認などの間欠動作を行うためにシステムを一時起動する回路とを動作させ、それ以外の回路については電源制御部３１の制御によって電源をオフにするものである。なお、電源をオフにするとは、対象である回路の電源線に電力を供給しない、対象である回路の電源線を接地レベルにする、もしくは対象である回路の電源線が、ＤＣ-ＤＣコンバータや定電圧源やスイッチング電源のような内部で電圧を発生させる回路の出力に接続される場合には、電圧を発生させる回路の出力をハイインピーダンス状態にするなどが上げられる。いずれにせよ、ここで電源をオフするとは、対象である回路に電力が供給されずスタンバイ電流も流れない状態を示している。この状態で電力が供給されている回路は、例えばＷｉ‐Ｆｉ通信部２４と、Ｗｉ‐Ｆｉ通信部２４の周辺回路すなわちサブプロセッサ２６の一部の回路ブロックとメインプロセッサ３３の一部の回路ブロックである。なおこのとき、それぞれの回路は機能を実行するために稼働している場合と、待機状態である場合とがある。待機状態である場合とは、例えばデジタル回路では、電力は供給されているが、スイッチング(状態遷移)せず、スタンバイ電流のみが流れている場合である。
【００４４】
画像表示装置２は、Ｓ８で画像出力装置から受信した試行結果が、Ｂｌｕｅｔｏｏｔｈによる通信が可能である場合(Ｓ９でＹｅｓ)、使用者がリモコンや副電源スイッチ１０を操作して起動の指示を行った場合に、画像表示装置２から画像出力装置３への起動コマンドの送信をＢｌｕｅｔｏｏｔｈ通信部２０から行うように設定し、この設定を起動情報としてメモリ１４の不揮発性メモリに格納して(Ｓ１８)、待機モードをＢｌｕｅｔｏｏｔｈモードに設定し(Ｓ１９)、使用者の操作を受信し、画像表示装置２から画像出力装置３へＢｌｕｅｔｏｏｔｈにより起動の指示を送信するために必要な回路と、待機状態中に画像出力装置３との通信確認などの間欠動作を行うためにシステムを一時起動するために必要な回路とを動作させ、Ｗｉ‐Ｆｉ通信部１７などについては、電源制御部１２の制御によって電源をオフにする(Ｓ２０)。なお、電源をオフにするとは、対象である回路の電源線に電力を供給しない、対象である回路の電源線を接地レベルにする、もしくは対象である回路の電源線が、ＤＣ-ＤＣコンバータや定電圧源やスイッチング電源のような内部で電圧を発生させる回路の出力に接続される場合には、電圧を発生させる回路の出力をハイインピーダンス状態にするなどが上げられる。いずれにせよ、ここで電源をオフするとは、Ｗｉ‐Ｆｉ通信部１７などの対象である回路に電力が供給されずスタンバイ電流も流れない状態を示している。この状態で動作している回路は、例えばＩＲ受光部９、副電源スイッチ１０、サブプロセッサ１３、Ｂｌｕｅｔｏｏｔｈ通信部２０と、Ｂｌｕｅｔｏｏｔｈ通信部２０の周辺回路すなわちメインプロセッサ１９の一部の回路ブロックである。なおこのとき、それぞれの回路は機能を実行するために稼働している場合と、待機状態である場合とがある。待機状態である場合とは、例えばデジタル回路では、電力は供給されているが、スイッチング(状態遷移)せず、スタンバイ電流のみが流れている場合である。そしてＢｌｕｅｔｏｏｔｈモードで待機状態へ移行する(Ｓ２１)。なおこの状態では、画像表示装置２は、図１におけるＡに位置している。
【００４５】
画像表示装置２は、Ｓ８で画像出力装置から受信した試行結果が、Ｂｌｕｅｔｏｏｔｈでの通信が不可能である場合(Ｓ９でＮｏ)、使用者がリモコンや副電源スイッチ１０を操作して起動指示を行った場合に、画像表示装置２から画像出力装置３への起動コマンドの送信をＷｉ‐Ｆｉ通信部１７から行うように設定し、この設定を起動情報としてメモリ１４の不揮発性メモリに格納して(Ｓ１５)、待機モードをＷｉ‐Ｆｉモードに設定し(Ｓ１６)、Ｂｌｕｅｔｏｏｔｈ機能を停止して(Ｓ１７)、待機状態に移行する(Ｓ２１)。このＷｉ‐Ｆｉモードでの待機とは、使用者の操作を受信し、画像表示装置２から画像出力装置３へＷｉ‐Ｆｉにより起動の指示を送信するために必要な回路と、待機状態中に画像出力装置３との通信確認などの間欠動作を行うためにシステムを一時起動するために必要な回路とを動作させ、それ以外の回路については電源制御部１２の制御によって電源をオフにするものである。なお、電源をオフにするとは、対象である回路の電源線に電力を供給しない、対象である回路の電源線を接地レベルにする、もしくは対象である回路の電源線が、ＤＣ-ＤＣコンバータや定電圧源やスイッチング電源のような内部で電圧を発生させる回路の出力に接続される場合には、電圧を発生させる回路の出力をハイインピーダンス状態にするなどが上げられる。いずれにせよ、ここで電源をオフにするとは、対象である回路に電力が供給されずスタンバイ電流も流れない状態を示している。この状態で動作している回路は、例えばＩＲ受光部９、副電源スイッチ１０、サブプロセッサ１３、Ｗｉ‐Ｆｉ通信部１７と、Ｗｉ‐Ｆｉ通信部１７の周辺回路すなわちメインプロセッサ１９の一部の回路ブロックである。なおこのとき、それぞれの回路は機能を実行するために稼働している場合と、待機状態である場合とがある。待機状態である場合とは、例えばデジタル回路では、電力は供給されているが、スイッチング(状態遷移)せず、スタンバイ電流のみが流れている場合である。なお状態では、画像表示装置２は、図１におけるＢに位置している。
【００４６】
Ｗｉ‐Ｆｉは、大容量データを遠距離に送信することが可能であるが、消費電力が大きいため、待機状態での起動の待ち受けと、起動に係る動作を行うには無駄に電力を消費することになる。Ｂｌｕｅｔｏｏｔｈは映像音声信号のような大容量データは送信できないが、消費電力が小さく、待機状態での起動の待ち受けと、起動に係る動作を行うには十分な機能を有している。画像表示装置２が、画像出力装置３とＢｌｕｅｔｏｏｔｈで通信できる範囲に位置している場合には、Ｂｌｕｅｔｏｏｔｈで起動するように設定して待機状態に移行するものである。
【００４７】
図５、図６を参照して、第１の実施形態のテレビ１の起動動作を説明する。図５は、第１の実施形態のテレビ１がＢｌｕｅｔｏｏｔｈモードの待機状態から起動する処理フロー図である。
【００４８】
画像表示装置２は、使用者のリモコンや副電源スイッチ１０の操作による起動指示を受信すると(Ｓ２２)、システムを起動する（Ｓ２３）。システムの起動では、本実施形態に係る動作として主に次を行う。サブプロセッサが電源制御部１２に指示し、各ブロックの電源をオンすると(Ｓ２３−１)、メインプロセッサ１９が電源制御部１２によって、電源をオンされたＷｉ‐Ｆｉ通信部１８を起動する（Ｓ２３−２）。サブプロセッサ１３は、メモリ１４の不揮発性メモリに格納されている起動情報を読み込む(Ｓ２３−３)。この起動情報は、テレビ１が待機状態に移行した際に格納されたものであり、ここではＢｌｕｅｔｏｏｔｈで起動コマンドを画像出力装置３へ送信することが格納されている。起動情報に従い、Ｂｌｕｅｔｏｏｔｈ通信部２０を起動し(Ｓ２３−４)、Ｂｌｕｅｔｏｏｔｈ通信部２０から起動コマンドを画像出力装置３に送信する(Ｓ２３−５)。なお起動コマンドは、ＷａｋｅＵｐコマンドとも呼ばれる。続いて、表示部１５やスピーカ１６などテレビとしての動作できる状態までシステムを起動し、画像出力装置３との接続を待つ(Ｓ２３−６)。
【００４９】
画像出力装置３は、Ｂｌｕｅｔｏｏｔｈ通信部２７で画像表示装置２から送信された起動コマンドを受信すると(Ｓ２４)、システムを起動する(Ｓ２５)。システムの起動では、本実施形態に係る動作として主に次を行う。電源制御部３１が各ブロックの電源をオンし(Ｓ２５−１)、Ｗｉ‐Ｆｉ通信部２４を起動し(Ｓ２５−２)、放送波受信部２３がアンテナ２０から放送波を受信し、放送信号処理部３０は放送波から映像音声信号を取り出す処理を行い、映像音声信号の送信準備を行う(Ｓ２５−３)。
【００５０】
画像出力装置３は、Ｂｌｕｅｔｏｏｔｈ通信部２７を停止し(Ｓ２６)、Ｗｉ‐Ｆｉ通信部２４による画像表示装置２との通信を確立する(Ｓ２７)。
【００５１】
画像出力装置３と画像表示装置２の通信が確立されたら、画像表示装置２はＢｌｕｅｔｏｏｔｈ機能を停止し(Ｓ２８)、Ｗｉ‐Ｆｉ通信部１７で受信を開始する。画像出力装置３が映像音声信号を送信すると(Ｓ２９)、画像表示装置２は映像音声信号を受信して(Ｓ３０)、映像の表示と音声の出力等を行う(Ｓ３１)。 
【００５２】
次に図６を参照して、第１の実施形態のテレビ１が、Ｗｉ‐Ｆｉモードの待機状態から起動する処理フローを説明する。
【００５３】
画像表示装置２は、使用者のリモコンや副電源スイッチ１０の操作による起動指示を受信すると(Ｓ３２)、システムを起動する（Ｓ３３）。システムの起動では、本実施形態に係る動作として主に次を行う。サブプロセッサが電源制御部１２に指示し、各ブロックの電源をオンする(Ｓ３３−１)。メインプロセッサ１９がＷｉ‐Ｆｉ通信部１７を起動する（Ｓ３３−２）。サブプロセッサ１３は、メモリ１４の不揮発性メモリに格納されている起動情報を読み込む(Ｓ３３−３)。この起動情報は、テレビ１が待機状態に移行した際に格納されたものであり、ここではＷｉ‐Ｆｉで起動コマンドを画像出力装置３へ送信することが格納されている。起動情報に従い、Ｗｉ‐Ｆｉ通信部１７から起動コマンドを画像出力装置３に送信する(Ｓ３３−４)。続いて、表示部１５やスピーカ１６などテレビとしての動作できる状態までシステムを起動し、画像出力装置３との接続を待つ(Ｓ３３−５)。
【００５４】
画像出力装置３は、Ｗｉ‐Ｆｉ通信部２４で画像表示装置２から送信された起動コマンドを受信すると(Ｓ３４)、システムを起動する(Ｓ２５)。システムの起動では、本実施形態に係る動作として主に次を行う。電源制御部３１が各ブロックの電源をオンし(Ｓ３５−１)、Ｗｉ‐Ｆｉ通信部２４を起動し(Ｓ３５−２)、放送波受信部２３がアンテナ２０から放送波を受信し、放送信号処理部３０は放送波から映像音声信号を取り出す処理を行い、映像音声信号の送信準備を行う(Ｓ３５−３)。
【００５５】
画像表示装置２と画像出力装置３は、Ｗｉ‐Ｆｉによる通信を確立する(Ｓ３６)。画像表示装置２と画像出力装置３との通信が確立され、画像出力装置３が映像音声信号を送信すると(Ｓ３７)、画像表示装置２は映像音声信号を受信して(Ｓ３８)、映像の表示と音声の出力等を行う(Ｓ３９)。
【００５６】
以上、説明したように第１の実施形態のテレビ１は、画像出力装置と画像表示装置とがＢｌｕｅｔｏｏｔｈおよび、またはＷｉ‐Ｆｉによって無線通信するテレビであって、使用者が画像表示装置を操作して、画像表示装置および画像出力装置のシステムを待機状態に移行する際に、画像出力装置と画像表示装置とがＢｌｕｅｔｏｏｔｈで通信可能であるか確認し、通信可能である場合は、使用者が画像表示装置を再起動する際に、画像表示装置から画像出力装置へ再起動コマンドの送信をＢｌｕｅｔｏｏｔｈで行うように設定し、且つ画像表示装置と画像出力装置のそれぞれのＢｌｕｅｔｏｏｔｈ起動に必要な最低限のシステムのみ電源をオンし、それ以外は電源をオフして待機状態に移行するものである。
【００５７】
Ｂｌｕｅｔｏｏｔｈは、Ｗｉ‐Ｆｉよりも低消費電力なので、再起動コマンドをＢｌｕｅｔｏｏｔｈにより送受信することで無駄な電力を削減できる。Ｂｌｕｅｔｏｏｔｈは映像データのような大規模データは送受信できないが、再起動コマンドは十分に送信できる。
【００５８】
また再起動コマンドをＢｌｕｅｔｏｏｔｈで送受信するようにして、待機状態に移行した場合、電源がオンしている回路ブロックは、使用者の再起動の操作を受信する部分と、Ｂｌｕｅｔｏｏｔｈ機能とサブプロセッサのみであり、Ｗｉ‐Ｆｉ機能はオフしている。この場合の画像表示装置２および画像出力装置３のトータルの待機時消費電力は０．１Ｗ程度である。一方、再起動コマンドをＷｉ‐Ｆｉで送受信するようにして、待機状態に移行した場合、電源がオンしている回路ブロックは、使用者の再起動の操作を受信する部分と、Ｗｉ‐Ｆｉ機能とサブプロセッサ、メインプロセッサであり、Ｂｌｕｅｔｏｏｔｈはオフしている。この場合の画像表示装置２および画像出力装置３のトータルの待機時消費電力は１０Ｗ程度である。よって、再起動コマンドをＢｌｕｅｔｏｏｔｈで送受信するようにして、Ｗｉ‐Ｆｉ通信部などの電源をオフして、待機状態に移行することで、待機状態も無駄な電力の消費を削減できる。
【００５９】
［第２の実施形態］
本発明の第２の実施形態のテレビ１を図３、図７、８に示し説明する。第１の実施形態のテレビ１は、画像表示装置２が映像と音声を出力している状態で、使用者がリモコンを操作するなどしてテレビ１を待機状態に移行する場合の実施形態であった。それに対して、第２の実施形態のテレビ１は、画像表示装置２が映像と音声を出力している状態で、使用者がＡＣ電源プラグをコンセントから抜いた場合にテレビ１を待機状態に移行する場合の実施形態である。
【００６０】
図７は、本発明の第２の実施形態の画像表示装置２の要部構成図である。なお図７で第１の実施形態と同じ構成については、同一の符号を付し説明を省略する。第２の実施形態の画像表示装置２は、第１の実施形態の画像表示装置２に更に、ＡＣ電源検出部３４と、充電池３６を有する電源制御部３５を構成する。ＡＣ電源検出部３４は、電源電圧をモニターしており、電圧が０ボルトになったのを検出したらサブプロセッサ１３へ信号を出力する。電源制御部３５は、充電池３６を有しており、電源が供給されなくなったら、予め充電池３６に充電されている電力を各回路ブロックへ供給する。
【００６１】
図８は、本発明の第２の実施形態のテレビ１が待機状態へ移行するフローである。図８を説明する。画像出力装置３が放送波を受信し復調処理や誤り訂正処理などを行い、映像音声信号を画像表示装置２に送信し、画像表示装置２は受信した映像音声信号の映像を表示し音声を出力している状態(Ｓ０)で、使用者が画像表示装置２の電源プラグをコンセントから抜くと、ＡＣ電源検出部３４は、外部電源の低下を検出してサブプロセッサ１３へ検出結果を出力する(Ｓ４０)。サブプロセッサ１３は、電源制御部３５へ指示し、充電池３６の電力を供給し(Ｓ４１)、続いてメモリ１４に格納された待機状態移行処理を起動する(Ｓ２)。Ｓ２移行の処理および画像出力装置側処理は、第１の実施形態と同様であるので説明を省略する。また、待機状態から再起動する処理も、第１の実施形態と同様であるので、説明を省略する。
【００６２】
第２の実施形態のテレビ１のように構成することで、突然電源プラグがコンセントから抜かれた場合も、画像出力装置と画像表示装置とがＢｌｕｅｔｏｏｔｈで通信可能である場合は、使用者が画像表示装置を再起動する際に、画像表示装置から画像出力装置へ再起動コマンドの送信をＢｌｕｅｔｏｏｔｈで行うように設定し、且つ画像表示装置と画像出力装置のそれぞれのＢｌｕｅｔｏｏｔｈ起動に必要な最低限のシステムのみ電源をオンし、それ以外は電源をオフして待機状態に移行することが可能である。
【００６３】
また、主電源スイッチ１１がオフされた場合にも、同様にサブプロセッサ１３が、電源制御部３５へ指示し、充電池３６の電力を供給して、メモリ１４に格納された待機状態移行処理を起動することによって、画像出力装置と画像表示装置とがＢｌｕｅｔｏｏｔｈで通信可能である場合は、使用者が画像表示装置を再起動する際に、画像表示装置から画像出力装置へ再起動コマンドの送信をＢｌｕｅｔｏｏｔｈで行うように設定し、且つ画像表示装置と画像出力装置のそれぞれのＢｌｕｅｔｏｏｔｈ起動に必要な最低限のシステムのみ電源をオンし、それ以外は電源をオフして待機状態に移行することが可能である。
【００６４】
また、画像出力装置３の電源プラグが抜かれた場合または画像出力装置３の電源がオフされた場合にも、同様に実施可能である。すなわち、画像出力装置３に、ＡＣ電源検出部と充電池を有する電源制御部を構成し、電源プラグがコンセントから抜かれるか、もしくは電源がオフされたら、サブプロセッサ２６が、電源制御部へ指示して充電池の電力を各部へ供給し、続いてＷｉ‐Ｆｉ通信部２４から画像表示装置２へ待機状態移行処理の実行を指示する。
【００６５】
［第３の実施形態］
第１の実施形態では待機状態へ移行する指示を受けた場合に、第２の実施形態では電源プラグがコンセントから抜かれた場合に、それぞれ画像表示装置２と画像出力装置３とがＢｌｕｅｔｏｏｔｈで通信可能か確認し、可能である場合は使用者が画像表示装置を再起動する際に、画像表示装置から画像出力装置へ再起動コマンドの送信をＢｌｕｅｔｏｏｔｈで行うように設定し、且つ画像表示装置と画像出力装置のそれぞれのＢｌｕｅｔｏｏｔｈ起動に必要な最低限のシステムのみ電源をオンし、それ以外は電源をオフして待機状態に移行する実施形態であった。
【００６６】
第３の実施形態は、画像表示装置２と画像出力装置３とがＢｌｕｅｔｏｏｔｈで通信可能か一定時間ごとに確認し、可能である場合は使用者が画像表示装置を再起動する際に、Ｂｌｕｅｔｏｏｔｈで画像表示装置から画像出力装置へ再起動コマンドを送信するように設定する実施形態である。
【００６７】
本発明の第３の実施形態のテレビ１を、図３、図９、１０を参照して説明する。図９は、本発明の第３の実施形態の画像表示装置２の要部構成図である。カウンター部３７を新たに構成する。カウンター部３７は、所定の時間が経過したら、サブプロセッサ１３に信号を出力するものである。時間の測定は、システムクロックからＣＰＵ時間を算出するなどして行っても良いし、画像出力装置３から放送波に含まれる時刻を受信して算出してもよい。
【００６８】
図１０は、本発明の第３の実施形態のテレビ１の処理フローである。図１０を説明する。ただし第１の実施形態のテレビ１の処理フローと同じ処理については、同じステップ番号を付与し、説明を省略する。
【００６９】
画像表示装置２が映像と音声を出力している状態で、一定時間経過するとカウンター部３７が、時間の経過をサブプロセッサ１３へ出力する(Ｓ４４でＹｅｓ)。サブプロセッサ１３は、メモリ１４に格納された通信状態確認処理を起動する(Ｓ４５)。画像表示装置２はＢｌｕｅｔｏｏｔｈ通信部２０を起動して、通信状態確認指示をＷｉ‐Ｆｉ通信部１７から画像出力装置３へ送信する(Ｓ４４)。通信状態確認指示をＷｉ‐Ｆｉ２２で受信した画像出力装置３は、サブプロセッサ２３がメモリ２８に格納された通信状態確認処理を起動し(Ｓ４５)、Ｂｌｕｅｔｏｏｔｈ２４を起動して(Ｓ６)画像表示装置２とのＢｌｕｅｔｏｏｔｈ通信を試行する(Ｓ７)。試行結果を、Ｗｉ‐Ｆｉ２２により画像表示装置２へ送信したら(Ｓ８)、Ｂｌｕｅｔｏｏｔｈ機能を停止し(Ｓ４６)、放送波の受信や信号処理、画像表示装置２への映像音声信号の送信を継続する。
【００７０】
画像表示装置２は、ステップＳ８による画像表示装置２から試行結果を受信すると、Ｂｌｕｅｔｏｏｔｈ機能を停止し(Ｓ４７)、Ｂｌｕｅｔｏｏｔｈで通信可能かどうか確認し(Ｓ１４)、Ｂｌｕｅｔｏｏｔｈで通信可能な場合は(Ｓ１４でＹｅｓ)、画像出力装置３への起動コマンドの送信をＢｌｕｅｔｏｏｔｈ通信部２０から行うように設定し、この設定を起動情報としてメモリ１４の不揮発性メモリに格納して(Ｓ１６)、通信状態確認処理を終了する。またＢｌｕｅｔｏｏｔｈで通信不可能な場合は(Ｓ１４でＮｏ)、画像出力装置３への起動コマンドの送信をＷｉ‐Ｆｉ通信部１７から行うように設定し、この設定を起動情報としてメモリ１４の不揮発性メモリに格納して(Ｓ１５)、通信状態確認処理を終了する。画像表示装置２は、映像と音声の出力を継続し、一定時間経過するのを待つ。
【００７１】
以上、説明したように第３の実施形態のテレビ１は、放送波を受信し映像や音声を出力している状態で定期的にＢｌｕｅｔｏｏｔｈ通信の可否を確認し、確認結果に応じて再起動時に起動コマンドの送信をＷｉ‐ＦｉもしくはＢｌｕｅｔｏｏｔｈのいずれで行うかを設定するものである。
【００７２】
待機状態への移行指示を受信する前に、再起動時の起動コマンドの送信の設定を行っておくことで、実際に待機状態への移行指示を受信したときに、Ｂｌｕｅｔｏｏｔｈ通信の確認を行わずに待機状態へ移行できる。また電源プラグをコンセントから抜かれる処理が発生する前に、再起動時の起動コマンドの送信の設定を行っておくことで、実際に電源プラグをコンセントから抜かれたときに、Ｂｌｕｅｔｏｏｔｈ通信の確認を行わずに待機状態へ移行できるので、充電池の容量を小さくすることが可能になる。
【００７３】
［第４の実施形態］
第３の実施形態では、画像表示装置２と画像出力装置３とがＢｌｕｅｔｏｏｔｈで通信可能か一定時間ごとに確認した。第４の実施形態は、画像出力装置３と画像表示装置２がテレビ番組を再生している際に画像表示装置２が移動した場合、画像表示装置２と画像出力装置３とがＢｌｕｅｔｏｏｔｈで通信可能か確認し、可能である場合は使用者が画像表示装置を待機状態に移行する際に、画像表示装置から画像出力装置へ送信する再起動コマンドをＢｌｕｅｔｏｏｔｈで送信するように設定する実施形態である。
【００７４】
本発明の第４の実施形態のテレビ１を、図３、図１１、１２を参照して説明する。図１１は、本発明の第４の実施形態の画像表示装置２の要部構成図である。加速度センサー３８を新たに構成する。加速度センサー３８は、画像表示装置２の移動を検出したら、サブプロセッサ１３に信号を出力するものである。
【００７５】
図１２は、本発明の第４の実施形態のテレビ１の処理フローである。実施形態３と異なるのは、Ｓ４８のみである。画像表示装置２が移動したら(Ｓ４８でＹｅｓ)、Ｓ４３以降の処理を実行する。ただし、Ｓ４３以降の処理は、画像表示装置２が停止してから行う。よって、加速度センサーが移動の開始と停止を検出し、停止を検出したらサブプロセッサ１３に出力しても良いし、加速度センサーが移動の開始と停止の両方をサブプロセッサ１３に出力し、サブプロセッサ１３が停止を受信したときにＳ４１以降の処理を開始するようにしてもよい。
【００７６】
画像表示装置２が移動し、画像出力装置３との距離が変わるとＢｌｕｅｔｏｏｔｈとの通信状態も変わるので、実施形態４のように加速度センサー３８を備えて、移動を検出して通信状態を確認することで、画像表示装置から画像出力装置へ再起動コマンドを送信する際に、的確にＷｉ‐ＦｉとＢｌｕｅｔｏｏｔｈの選択を行うことが可能になる。
【００７７】
［第５の実施形態］
第５の実施形態のテレビ１は、画像表示装置２と画像出力装置３とがＢｌｕｅｔｏｏｔｈモードで待機中に、画像表示装置２の設置場所が変わった場合の実施形態である。図１で位置Ａから位置Ｂへ移動すると、画像表示装置２と画像出力装置３はＢｌｕｅｔｏｏｔｈで通信できなくなるので、待機モードをＷｉ‐Ｆｉモードへ変更する必要がある。一方、位置Ａから移動しても、Ｂｌｕｅｔｏｏｔｈで通信可能な範囲内にあれば、待機モードを変更する必要はない。
【００７８】
本発明の第５の実施形態のテレビ１を、図３、図１１、１３を参照して説明する。図１３は、本発明の第５の実施形態のテレビ１の処理フローである。図１３を説明する。画像表示装置２と画像出力装置３とがＢｌｕｅｔｏｏｔｈモードで待機中に(Ｓ５０)、画像表示装置２の位置が動き始めると、加速度センサー３８が画像表示装置２の移動の開始を検出する(Ｓ５１)。画像表示装置２は、待機状態に移行した段階でメモリに保存した起動情報を読み込む(Ｓ５２)。待機状態中に移動を検出した場合は、テレビ機能の起動ではなく通信の確認を行うこととする。ここではＢｌｕｅｔｏｏｔｈで起動するので、画像表示装置２は、Ｂｌｕｅｔｏｏｔｈ通信部２０から画像出力装置３へ通信確認コマンドを送信し(Ｓ５３)、Ｗｉ‐Ｆｉ通信部１７を起動する(Ｓ５５)。通信確認コマンドは、画像出力装置３へＷｉ‐Ｆｉ通信部２４を起動し、Ｗｉ‐Ｆｉによる通信を試行するように指示するコマンドである。画像出力装置３は、Ｂｌｕｅｔｏｏｔｈ２４で通信確認コマンドを受信したら(Ｓ５４)、Ｗｉ‐Ｆｉ通信部２４を起動する(Ｓ５６)。画像表示装置２と画像出力装置３は、それぞれ確認信号を送受信し、Ｗｉ‐Ｆｉによる通信を行う(Ｓ５７)。
【００７９】
画像表示装置２の移動が停止すると加速度センサー３８が、画像表示装置２の移動の停止を検出し(Ｓ５８でＹｅｓ)、画像表示装置２のＷｉ‐Ｆｉ通信部１７から通信確認コマンドを送信する(Ｓ５９)。画像表示装置２が移動中にＢｌｕｅｔｏｏｔｈによる通信が可能な範囲から外れてしまい、Ｂｌｕｅｔｏｏｔｈによる通信が切断されても、停止するまでにＢｌｕｅｔｏｏｔｈによる通信が可能な範囲に再び位置することがあるため、画像表示装置２の移動の停止を検出してから、通信確認コマンドを送信している。画像出力装置３が、通信確認コマンドを画像表示装置２からＷｉ‐Ｆｉ通信部２４により受信したら、画像表示装置２とのＢｌｕｅｔｏｏｔｈによる通信が可能かどうか確認する（Ｓ６０）。
【００８０】
Ｓ６０以降の処理は、第１の実施形態のテレビ１の処理フロー図４とほぼ同じなので詳細な説明は省略する。画像表示装置２と画像出力装置３とが、Ｂｌｕｅｔｏｏｔｈにより通信可能な場合は(Ｓ６２、Ｓ７０でＹｅｓ)、画像表示装置２は起動コマンドをＢｌｕｅｔｏｏｔｈで送信するように設定し(Ｓ６６)、待機モードをＢｌｕｅｔｏｏｔｈモードに設定し(Ｓ６７)、Ｗｉ‐Ｆｉ通信部１７などの電源をオフして(Ｓ６８)、待機状態へ移行する(Ｓ７４)。一方、画像出力装置３は、待機モードをＢｌｕｅｔｏｏｔｈモードに設定し(Ｓ７０)、Ｗｉ‐Ｆｉ通信部２４などの電源をオフして(Ｓ７１)、待機状態へ移行する(Ｓ７４)。画像表示装置２と画像出力装置３とが、Ｂｌｕｅｔｏｏｔｈによる通信を行えない場合は(Ｓ６２、Ｓ６９でＮｏ)、画像表示装置２は起動コマンドをＷｉ‐Ｆｉ通信部１７で送信するように設定し(Ｓ６３)、待機モードをＷｉ‐Ｆｉモードに設定し(Ｓ６４)、Ｂｌｕｅｔｏｏｔｈ機能を停止して(Ｓ６５)、待機状態へ移行する(Ｓ７４)。一方、画像出力装置３は、待機モードをＷｉ‐Ｆｉモードに設定し(Ｓ７２)、Ｂｌｕｅｔｏｏｔｈ機能を停止して(Ｓ７３)、待機状態へ移行する(Ｓ７４)。
【００８１】
以上、説明したように第５の実施形態のテレビ１は、画像表示装置２と画像出力装置３とがＢｌｕｅｔｏｏｔｈモードで待機状態中に、使用者が画像表示装置２の設置場所を変更した場合の実施形態である。画像表示装置２が加速度センサーを備え、移動の開始を検出したら、画像表示装置２から画像出力装置３へＢｌｕｅｔｏｏｔｈにより通信確認コマンドを送信し、画像表示装置２と画像出力装置３はＷｉ‐Ｆｉを起動してＷｉ‐Ｆｉによる通信を行い、画像表示装置２の移動が停止したら、再度Ｂｌｕｅｔｏｏｔｈによる通信の可否を確認して、通信状況に応じた起動コマンドと待機モードを設定して再び待機状態に移行するものである。
【００８２】
第５の実施形態のテレビ１のように構成することで、待機中に画像表示装置２の設置場所を変更しても、変更後の通信状況に応じた起動コマンドの送信と待機モードでの待機を実行することが可能になる。
【００８３】
［第６の実施形態］
第６の実施形態のテレビ１は、画像表示装置２と画像出力装置３とがＷｉ‐Ｆｉモードで待機中に、画像表示装置２の設置場所が変わった場合の実施形態である。図１で位置Ｂから位置Ａへ移動すると、画像表示装置２と画像出力装置３はＢｌｕｅｔｏｏｔｈで通信できるようになる。Ｂｌｕｅｔｏｏｔｈによる待機と起動コマンドの送信は、Ｗｉ‐Ｆｉによるものよりも低消費電力であるので、Ｂｌｕｅｔｏｏｔｈで通信可能な場合は、Ｂｌｕｅｔｏｏｔｈで行う方が望ましい。
【００８４】
本発明の第６の実施形態のテレビ１を、図３、図１１、１４を参照して説明する。図１４は、本発明の第６の実施形態のテレビ１の処理フローである。図１４を説明する。ただし、第５の実施形態と同じ処理については、同じ符号を付し説明を省略する。画像表示装置２と画像出力装置３とがＷｉ‐Ｆｉモードで待機中に(Ｓ８０)、画像表示装置２の位置が動き始めると、加速度センサー３８が画像表示装置２の移動の開始を検出する(Ｓ５１)。画像表示装置２は、待機状態に移行した段階でメモリに保存した起動情報を読み込み(Ｓ５２)、Ｗｉ‐Ｆｉ通信部１７から画像出力装置３へ通信確認コマンドを送信する(Ｓ８１)。画像出力装置３は、Ｗｉ‐Ｆｉ２２でコマンドを受信したら(Ｓ８２)、画像表示装置２とＷｉ‐Ｆｉによる通信を確立する(Ｓ５７)。
【００８５】
画像表示装置２の移動が停止すると加速度センサーが画像表示装置２の移動が停止を検出し(Ｓ５８でＹｅｓ)、画像表示装置２はＢｌｕｅｔｏｏｔｈ通信部２０を起動し(Ｓ８３)、Ｗｉ‐Ｆｉ通信部１７から通信確認コマンドを送信する(Ｓ５９)。通信確認コマンドを受信した画像出力装置３は、Ｂｌｕｅｔｏｏｔｈ２４を起動して、画像表示装置２とＢｌｕｅｔｏｏｔｈによる通信を試行する(Ｓ６０)。Ｓ６０以降の処理は実施形態５と同じなので省略する。
【００８６】
第６の実施形態のテレビ１は、画像表示装置２と画像出力装置３とがＷｉ‐Ｆｉモードで待機中に、画像表示装置２の設置場所が変わった場合にＢｌｕｅｔｏｏｔｈによる通信の可否を確認し、Ｂｌｕｅｔｏｏｔｈで通信可能な場合は、画像表示装置２からの起動コマンドの送信をＢｌｕｅｔｏｏｔｈモードで行うように設定し、Ｂｌｕｅｔｏｏｔｈモードで待機するものである。
【００８７】
第６の実施形態のテレビ１のように構成しても、待機中に画像表示装置２の設置場所を変更しても、変更後の通信状況に応じた起動コマンドの送信と待機モードでの待機を実行することが可能になる。
【００８８】
［第７の実施形態］
本発明の第７の実施形態のテレビ１を図１５、図１６、図１７に示し説明する。図１５は、本発明の第７の実施形態の画像表示装置２の要部構成図である。図１５に示すように、第７の実施形態の画像表示装置２は、第３の実施形態の画像表示装置２が構成したカウンター部３７と、第４の実施形態の画像表示装置２が構成した加速度センサー３８を両方構成するところに特徴がある。なお各部の動作については既に説明したので詳細な説明は省略する。図１６は、第７の実施形態の画像出力装置３の要部構成図である。図１６に示すように第７の実施形態の画像出力装置３は、カウンター部３９を新たに構成する。カウンター部３９は、所定の時間が経過したら、サブプロセッサ２６に信号を出力するものである。時間の測定は、システムクロックからＣＰＵ時間を算出するなどして行っても良いし、放送波に含まれる時刻を受信して算出してもよい。
【００８９】
図１７は、本発明の第７の実施形態のテレビ１の処理フローである。図１７を説明する。ただし第１の実施形態のテレビ１の処理フローと同じ処理については、同じステップ番号を付与し、説明を省略する。
【００９０】
図１７(ａ)は、本発明の第７の実施形態のテレビ１の処理フローのひとつである。第７の実施形態の画像表示装置２と画像出力装置３は、例えばテレビ番組を表示中に画像表示装置２のカウンター部３７と画像出力装置３のカウンター部３９との同期を取る(Ｓ０´)。ここでの同期を取るとは、画像表示装置２と画像出力装置３が行う動作の中でほぼ同時に行う必要のある動作を実行するためにタイマーの初期時間を共通にすることを意味する。動作としては互いのタイマーをリセットする、互いのＣＰＵ時間を同じにするなどがあるが、他の手法によっても実施可能である。第７の実施形態のテレビ１では、画像表示装置２と画像出力装置３が、テレビ番組などを表示中も、待機状態中もカウンター部３７とカウンター部３９は動作しているとする。
【００９１】
図１７(ｂ)は、本発明の第７の実施形態のテレビ１の処理フローの他のひとつである。画像表示装置２と画像出力装置３が待機状態である場合に(Ｓ９０)、画像表示装置２もしくは画像出力装置３が移動する、また画像表示装置２もしくは画像出力装置３の間に物が置かれるなどにより通信状態が変化するなどの状態の変化が発生したとする(Ｓ９１)。画像表示装置２と画像出力装置３は、カウンターに設定された予め決められた時間もしくは予め決められた周期が満たされるまで待機し(Ｓ９２、Ｓ９４)、それぞれのＷｉ‐Ｆｉ機能を起動する(Ｓ９３、Ｓ９５)。次に画像表示装置２は、Ｗｉ‐Ｆｉで通信確認コマンドを送信するので(Ｓ９６)、画像出力装置３はＷｉ‐Ｆｉで通信確認コマンドを受信し、Ｗｉ‐Ｆｉで通信を行う(Ｓ９８)。以降は、第１の実施形態と同様に画像表示装置２と画像出力装置３の通信状態を確認し、Ｂｌｕｅｔｏｏｔｈで通信可能である場合は、画像表示装置２は起動コマンドをＢｌｕｅｔｏｏｔｈにより送信し、画像出力装置３はＢｌｕｅｔｏｏｔｈにより起動コマンドを受信できるように設定して、それぞれＷｉ‐Ｆｉ通信部などの電源をオフして再度待機状態に移行し、Ｂｌｕｅｔｏｏｔｈで通信できない場合は、画像表示装置２は起動コマンドをＷｉ‐Ｆｉにより送信し、画像出力装置３はＷｉ‐Ｆｉにより起動コマンドを受信できるように設定して、Ｂｌｕｅｔｏｏｔｈ通信部などの電源をオフして再度待機状態に移行する。
【００９２】
画像表示装置２と画像出力装置３は、通信状態が変化する、もしくはそれぞれの位置が変化するなど互いの状態が急激に変化した場合、それぞれがＢｌｕｅｔｏｏｔｈにより通信可能であるのか判断できない場合がある。
【００９３】
例えば、画像表示装置２と画像出力装置３の間に物が置かれるなどにより通信環境が変化した場合である。画像表示装置２と画像出力装置３が、Ｂｌｕｅｔｏｏｔｈにより起動コマンドを通信する設定で待機状態にあったときに、通信環境が変化してＢｌｕｅｔｏｏｔｈでは通信できなくなったとする。このような場合、もし通信画像表示装置２が通信環境の変化を認識し、Ｗｉ‐Ｆｉにより起動コマンドを送信するように設定を変更できたとしても、待機状態にある画像出力装置３は、画像表示装置２の設定変更を認識できないので、設定を変更できずに通信できないことになる。第７の実施形態のテレビ１は、このような通信状態の変化に対応するためのもので、それぞれが所定の時間毎に同時にＷｉ‐Ｆｉを一時的に起動して互いの通信状態を確認し、起動コマンドの通信の設定を行うものである。このようにすることで画像表示装置２と画像出力装置３の状態が変化しても、適切に起動コマンドの通信を行うことが可能になる。
【００９４】
また例えば、画像表示装置２が急激に移動した場合にも、それぞれがＢｌｕｅｔｏｏｔｈにより通信可能であるのか判断できない状態になることがある。この場合、加速度センサー３８が移動を検出し、その時点で通信を設定されているＢｌｕｅｔｏｏｔｈもしくはＷｉ‐Ｆｉにより通信を試行し、通信できなかった場合にカウンターに設定された予め決められた時間まで待機する。このようにしても適切に起動コマンドの通信を行うことが可能になる。
【００９５】
上述した実施形態では、画像出力装置３がテレビ放送を受信し、画像表示装置２へ送信して表示する場合を例に説明したが、本発明はこれに限定されない。例えば、画像出力装置３が通信ＩＦ２９を介してインターネット回線と接続し、Ｗｅｂなどの画像を画像表示装置２へ表示する場合にも実施可能である。また同様にハードディスクやブルーレイディスクなどの画像データを画像出力装置３から画像表示装置２へ送信して、表示する場合にも実施可能である。
【００９６】
また上述した実施形態ではテレビを例に説明したが、パソコンでも実施可能である。ＣＰＵやメインメモリを有するメインボードを格納した本体と、画像を表示するモニターとが無線により通信し、パソコン本体から画像のような大容量データをＷｉ‐Ｆｉによりモニターへ送信し、モニターから待機状態にあるパソコン本体を起動する起動コマンドをＢｌｕｅｔｏｏｔｈによりパソコン本体へ送信する。なお、パソコンにテレビ放送受信機を搭載した場合にも、本実施形態と同様に実施可能である。またＷｉ‐ＦｉではなくＩＥＥＥ８０２．１１規格の無線ＬＡＮでも実施可能である。
【産業上の利用可能性】
【００９７】
本発明は、画像出力装置と画像表示装置から成る画像表示システムに適用可能であり、特に画像出力装置と画像表示装置とが分離しているテレビやパソコンなどの画像表示システムに利用することが可能である。
【符号の説明】
【００９８】
１  テレビ
２  画像表示装置
３  画像出力装置
４  放送局
５  Ｗｉ‐Ｆｉによる通信可能領域
６  Ｂｌｕｅｔｏｏｔｈによる通信可能領域
９  ＩＲ受光部
１０  副電源スイッチ
１１  主電源スイッチ
１２、３１、３５  電源制御部
１３、２６  サブプロセッサ
１４、３２  メモリ
１５  表示部
１６  スピーカ
１７、２４  Ｗｉ‐Ｆｉ通信部
１８、２１、２２、２５、２８  アンテナ
１９、３３  メインプロセッサ
２０、２７  Ｂｌｕｅｔｏｏｔｈ通信部
２３  放送波受信部
２９  通信インターフェイス
３０  放送信号処理部
３４  ＡＣ電源検出部
３６  充電池
３７、３９  カウンター部
３８  加速度センサー
１０１−１、１０１−２  デュアル無線情報機器
１０２  Ｂｌｕｅｔｏｏｔｈ情報機器
１０３  情報機器
１０４  Ｂｌｕｅｔｏｏｔｈ携帯電話
【図１】
2014072622.tif 000003
【図２】
2014072622.tif 000004
【図３】
2014072622.tif 000005
【図４】
2014072622.tif 000006
【図５】
2014072622.tif 000007
【図６】
2014072622.tif 000008
【図７】
2014072622.tif 000009
【図８】
2014072622.tif 000010
【図９】
2014072622.tif 000011
【図１０】
2014072622.tif 000012
【図１１】
2014072622.tif 000013
【図１２】
2014072622.tif 000014
【図１３】
2014072622.tif 000015
【図１４】
2014072622.tif 000016
【図１５】
2014072622.tif 000017
【図１６】
2014072622.tif 000018
【図１７】
2014072622.tif 000019
【図１８】
2014072622.tif 000020